(57)【要約】【課題】  ２流体ノズルからの噴霧により調湿を行う際、低い空気圧力で濡れを生じないミストを生成させかつ迅速で確実な自動調湿を行うことのできる噴霧システムを提供すること。【解決手段】  水を液膜化してこれに旋回気流を内側および外側から作用させて効果的に霧化する構造の二流体ノズルを用い、センサ部からの湿度信号により、予め用途に応じて定めた湿度をコンピュータにより自動的に設定して制御する噴霧システム。【効果】  前記構造のノズルにより気化効率が著しく高まり、低い空気圧力でより効果的に微細な霧滴が得られ、所要電極エネルギが削減されると共に調湿がより的確かつ迅速におこなわれる。【選択図】      図４
2011052900.tif 000002
【特許請求の範囲】
【請求項１】
液体供給器と、気体供給器と、噴射口に向けて環状に立設しその壁面に液膜を形成する液膜形成壁とを備え、該液膜形成壁の内側と外側から供給される２つの旋回気流により、前記液膜形成壁の先端から液滴を流出させる二流体ノズルと、
前記二流体ノズルの液体供給器に水を供給する水供給装置と、
前記二流体ノズルの気体供給器に高圧の空気を供給するコンプレッサと、
前記水供給装置からの水供給管路に介在させたレギュレータと、 
前記水供給装置からの水供給管路に介在させた電磁開閉弁と、
前記高圧空気供給装置からの空気供給管路に介在させたレギュレータと、
前記空間の温度を測定して温度信号を出力する温度センサと、
前記空間の湿度を測定して湿度信号を出力する湿度センサと、
前記水供給管路の電磁開閉弁、および前記コンプレッサー、前記空気供給管路のレギュレータの夫々の駆動部、ならびに前記温度センサおよび前記湿度センサの各出力部に夫々接続されたコンピュータとを有し、
前記コンピュータが前記温度センサおよび前記湿度センサから出力される温度信号および湿度信号の入力により、予め定められた温度、湿度の上限および下限の設定値に基いて所定の加湿量を演算し、それによって前記各電磁開閉弁の開閉動作および前記各レギュレータの調整動作を制御することを特徴とする２流体ノズルを用いた噴霧システム。
【請求項２】
前記ノズルの動作停止時に前記水供給管の電磁開閉弁を閉鎖し、次いで所定時間後にエアコンプレッサからの空気の供給を停止させる請求項１記載の噴霧システム。
【請求項３】
前記電磁開閉弁とノズルとの間の先端管路部の管径Ｄと最大長Ｌとの関係を使用水量Ｖにしたがって次のように設定する請求項２記載の噴霧システム。
管径Ｄ（mm）          最大長Ｌ（cm）  水量Ｖ（cc/min）
Ｄ≦４mm              Ｌ≦２５cm      （Ｖ≦２cc/min）
４mm＜Ｄ≦６ｍｍ      Ｌ≦２５cm      （Ｖ≦５cc/min）
６mm＜Ｄ≦１０ｍｍ    Ｌ≦１５cm      （Ｖ≦１０cc/min）
６mm＜Ｄ≦１０ｍｍ    Ｌ≦３０cm      （１０cc/min＜Ｖ≦２０cc/min）
１０mm＜Ｄ≦１２ｍｍ  Ｌ≦２０cm      （Ｖ≦２０cc/min）
【請求項４】
ノズル先端の（噴霧口)に多孔材からなる筒状の消音器を取付けた請求項１記載の噴霧システム
【請求項５】
前記空間内の湿度Ｈを５０（％）以上とし、さらに前記湿度範囲において、空間の温度Ｔ（℃）が２５℃以下の時には湿度Ｈ（％）を下記式１で定める値以下とし、前記温度Ｔ（℃）が２５℃〜３５℃のときには湿度Ｈ（％）を６０％以下とし、前記温度Ｔ（℃）が３５℃以上のときは湿度Ｈ（％）を下記式（２）で定める値以下とすることを特徴とする請求項１記載の噴霧システム：
式（１）：Ｈ＝−７／３  Ｔ＋３５５／３
式（２）：Ｈ＝２７／５  Ｔ−１２９
【発明の詳細な説明】
【技術分野】
【０００１】
本発明は２流体ノズルを用いた噴霧システムに係り、特に２流体ノズルを用いて発生する極めて微細な液滴の効率的な気化により、空間の温度／湿度を制御するシステムおよびこれを種々の分野に適用する技術に関する。
【背景技術】
【０００２】
水などの液体に対して高圧の空気の流れによるエネルギーを付与して微細な液滴を噴霧するようにした構造を有する２流体方式のノズルは液滴の気化性が高く噴霧時に周辺に濡れを生じない、いわゆるドライミストを発生させることができ、このような特性に着目して密閉空間および半開放空間の温度／湿度を制御する方法が種々の産業技術の分野で試みられている。たとえば微細な液滴を用いて一般環境の調温／調湿を行うこと（特開２００９−１１９３３５号）や病室等における殺菌や消臭を行うこと（特開２００５−４６３３８号）等が提案されている。
【先行技術文献】
【特許文献】
【０００３】
【特許文献１】特開２００９−１１９３３５号
【特許文献２】特開２００５−４６３３８号
【発明の概要】
【発明が解決しようとする課題】
【０００４】
２流体方式のノズルでは供給された流体（たとえば水）をノズル先端部から外部に噴出させる際に高圧の加圧空気の流れを作用させて極めて微細な粒径の液滴として噴霧するようになされている。このような２流体ノズルは気化効率の高い極めて微細な液滴を発生させる点で優れており、前記特許文献２等に見られるような病院の空間における清浄化やその他の一般的な居室内の空調のために２流体ノズルを用いることが試みられている。
【０００５】
しかし、このような用途に適用する場合、２流体ノズルは比較的高い圧力の空気を必要とするためエアコンプレッサーなどの動力源の規模が大きくなり、消費電力が増大して運転コストがかさむと共に動力源の大型化による騒音の問題が生じる。また比較的低い圧力でより的確で迅速な調温／調湿を行うためには液滴の粒径をより微細化すると共にその分布を均一なものとして気化効率を一層高めることが求められる。
【０００６】
また、病室や居室に設置する用途では、使用者が使いやすいように所定の温度／湿度条件が自動的に設定され、かつその条件変更を使用者が簡単な操作で迅速になし得るように全体をシステム化することが実用化の観点から望ましい。
さらに噴霧による室内の加湿については夫々の具体的な用途によって加湿量が異なるので、夫々の場合の最適な調温／調湿の条件を満たし、また場合によっては競合する条件を総合的に満足するような温度／湿度範囲に的確に制御することが必要となる。
【０００７】
また前記のよう室内用途では、この種の噴霧装置において問題となる休止時のノズルからのドレインによる床の濡れの防止や騒音の抑止等も実際の使用上の課題となる。
【課題を解決するための手段】
【０００８】
液体供給器と、気体供給器と、噴射口に向けて環状に立設しその壁面に液膜を形成する液膜形成壁とを備え、該液膜形成壁の内側と外側から供給される２つの旋回気流により、前記液膜形成壁の先端から前記液滴を流出させる二流体ノズルと、
前記二流体ノズルの液体供給器に水を供給する水供給装置と、
前記二流体ノズルの気体供給器に高圧の空気を供給するコンプレッサと、
前記水供給装置からの水供給管路に介在させたレギュレータと、 
前記水供給装置からの水供給管路に介在させた電磁開閉弁と、
前記高圧空気供給装置からの空気供給管路に介在させたレギュレータと、
前記空間の温度を測定して温度信号を出力する温度センサと、
前記空間の湿度を測定して湿度信号を出力する湿度センサと、
前記水供給管路の電磁開閉弁、および前記コンプレッサー、前記空気供給管路のレギュレータの夫々の駆動部、ならびに前記温度センサおよび前記湿度センサの各出力部に夫々接続されたコンピュータとを有し、
前記コンピュータが前記温度センサおよび前記湿度センサから出力される温度信号および湿度信号をコンピュータに入力し、予め定められた温度、湿度の上限および下限の設定値に基いて所定の加湿量を演算し、それによって前記水供給管路の電磁開閉弁の開閉動作および前記空気供給管路のレギュレータの調整動作を制御することを特徴とする。
前記構造の２流体ノズルはたとえば特許第４２６６２３９号に開示されている。
【０００９】
本発明の一実施態様においては、ノズル噴霧動作を休止する際、水供給管路の電磁開閉弁を閉じた後、所定時間（たとえば６０秒）にわたってコンプレッサの空気供給管路の電磁開閉弁からの空気の供給をつづけ、電磁開閉弁から下流のノズルの液体供給路に到る先端管路中の残水を噴霧によって排出するようにする。この場合、前記先端管路の管径Ｄと最大長Ｌとの関係を使用水量Ｖにしたがって次のように設定する。
管径Ｄ（mm）          最大長Ｌ（cm）  水量Ｖ（cc/min）
Ｄ≦４mm              Ｌ≦２５cm      （Ｖ≦２cc/min）
４mm＜Ｄ≦６ｍｍ      Ｌ≦２５cm      （Ｖ≦５cc/min）
６mm＜Ｄ≦１０ｍｍ    Ｌ≦１５cm      （Ｖ≦１０cc/min）
６mm＜Ｄ≦１０ｍｍ    Ｌ≦３０cm      （１０cc/min＜Ｖ≦２０cc/min）
１０mm＜Ｄ≦１２ｍｍ  Ｌ≦２０cm      （Ｖ≦２０cc/min）
【００１０】
さらに本発明の一実施態様においては、前記二流体ノズルの先端部に多孔材からなる筒状の消音器を取り付ける。  
【００１１】
また本発明の一実施態様においては、前記湿度の設定に際し、その下限を５０％以上に設定すると共に、この湿度範囲内において、２５℃以下の温度領域では湿度を下記式（１）で定められる範囲以下の値に、２５℃〜３５℃の温度範囲では湿度を６０％以下の値に、３５℃以上の温度範囲では湿度を下記式(２)で定められる範囲以下の値に設定する。
【００１２】
式（１）：Ｈ＝−７／３  Ｔ＋３５５／３
式（２）：Ｈ＝２７／５  Ｔ−１２９
Ｈ：湿度（％）  Ｔ：温度（℃）
【発明の効果】
【００１３】
本発明においては二流体方式のノズルとして、液膜を形成する液膜形成壁を備え、該液膜形成壁の内側に供給される旋回気流により、液膜に対し剪断力が作用し液体の微粒化が行われ液膜形成壁の先端から放出され、その後外側の旋回気流によってさらなる剪断力が作用し、一層、液体粒子が微粒化する。所定の容積の空間に対して必要な加湿量を与えるための水の流量およびこの水を微細な液滴とするための空気の圧力を従来のノズルに比較して著しく低下させコンプレッサの消費電力を減少させることができる。
【００１４】
また従来の二流体ノズルに比較して 、２つの旋回気流により、液膜形成壁の先端から放出される液滴の微細化が促進され、より細径でかつ均一な液滴を生成することができるので気化効率が著しく高められ、より迅速で的確な室内の調湿が可能となる。
【００１５】
また本発明の一実施態様では、ノズル噴霧動作を休止する際、水供給管路の電磁開閉弁を閉じた後、所定時間にわたって空気供給管路の電磁用開閉弁からの空気の供給をつづけるようにしたことで水供給管路中における電磁開閉弁からノズルの液体供給器入口に到る管路に残存する水が噴霧により除かれる。こゝでこの部分の管径および最大管長を所定時間内で管路中の残水を全て排出できる値に夫々の供給水量の場合について設定してあるので、ノズル噴霧動作の休止時にドレインが床面に滴下してこれを濡らすようなおそれがない。
【００１６】
また本発明の一実施態様では、ノズルの先端部を覆って多孔材からなる筒状の消音器を取り付けてあるのでノズル噴射時の衝撃によって生じる振動による不快な騒音を低下させることができる。
【００１７】
また本発明の一実施態様では、噴霧に際して設定する温度Ｔ(℃)および湿度Ｈ(％)に関して、温度が２５℃以下の場合には湿度をＨ＜−７／３  Ｔ＋３５５／３に、温度が２５℃〜３５℃の場合には温度をＨ＜６０に、温度が３５℃以上の場合には湿度をＨ＜２７／５  Ｔ−１２９に夫々設定したことにより、室内がカビの増殖域以下の湿度値に制御され、カビの発生、増殖を抑止することができる。また前記条件下で湿度を５０％以上となるようにしたことによりウイルスの活性低下を生じる湿度条件に合致したものとなる。
【００１８】
また本システムをウイルス等の抑制に用いる場合には薬液の殺菌効果によるものではなく水を用いて発生させたドライミストの温度／湿度制御によって行うので、経常的に使用される薬液のコストが不要となり、かつそれに伴う排液処理の負担を軽減することができ、薬液の使用による環境の劣化を低減することができる。尚こゝで使用する水は通常の水道水であるが、殺菌効果が実証されている電解水、イオン活性化水、磁化水等の活性化処理を施された水であってもよい。
【図面の簡単な説明】
【００１９】
【図１】（ａ）、（ｂ）、（ｃ）は本発明のシステムに用いる改善された構造を有する二流体ノズルの説明図である。
【図２】前記二流体ノズルに用いられる空気の圧力とそれによって得られる微細な液滴の平均粒径との関係を示すグラフである。
【図３】本発明のシステムの要部(噴霧部)の概要を示す説明図である。
【図４】本発明のシステムの制御系統を示す図である。
【図５】本発明のシステムにおける湿度制御過程での各種制御信号の波形図である。
【発明を実施するための形態】
【００２０】
以下本発明の二流体ノズルを用いた噴霧システムをその具体的な一用途としての病室におけるウイルス抑止目的で用いるドライミストの噴霧装置の例について説明する。尚本発明はウイルスの感染防止に限らずカビ類や細菌類の増殖抑止、さらには一般的な空間の調湿のための空調設備の用途にも広く適用することができる。
【００２１】
図１(a) は本発明の噴霧システムの噴霧部に用いる二流体ノズルの概略を示す断面図であり、図１(b)は第１気流旋回部の説明図、図１(c)は第２気流旋回部の説明図である。
【００２２】
本発明の二流体ノズル１は、液体供給器２、気体供給器３、液膜形成壁４、供給された気体の一部を旋回させる第１気流旋回部５、残りの気体を旋回させる第２気流旋回部６および円筒状の外筒７とから構成される。図１（ａ）に示すように、液膜形成壁４は、噴射口８に向けて漸次縮径となるように環状に立設され、その円形開口縁４ｂは尖端に形成され、内周壁面４ａは後記するように液膜の形成部位となる。液体供給器２には、第１気流旋回部５に臨むように、円周方向に沿って複数の液体噴射孔２ｂが貫通形成されている。また、液体供給器２の端壁２ａは円錐形状の突起形状の中心体２ｃとなって液膜形成壁４の円形開口縁４ｂの近傍まで軸方向に延びている。
第１気流旋回部５は、液体供給器２の端壁２ａから環状に立ち上がり形成されて液膜形成壁４の基部４ｃに当接する壁部５ｂを有しており、この壁部５ｂには、気体供給器３の流路３ａと連通し、図１（ｂ）に示すように、半径流方式で、第１の気流に旋回を与える溝形状の流路５ａが複数形成されている。第２気流旋回部６は、液膜形成壁４の基部４ｃの外周縁から環状に立ち上がり形成されて外筒７の端壁７ａに当接する壁部６ｂを有しており、この壁部６ｂには、気体供給器３の流路３ａと連通し、図１（ｃ）に示すように、半径流方式で、第２の気流に旋回を与える溝形状の流路６ａが複数形成されている。
外筒7の端壁７ａには円形の開口が形成されており、液膜形成壁４の円形開口縁４ｂで形成された噴射口８と同心に配設されるように、環状噴射口９が形成される。
【００２３】
二流体ノズル１の構成は以上からなり、液体は、液体供給器２の液体噴射孔２ｂから噴射されて液膜形成壁４の内周壁面４ａに付着し、液膜として形成される。一方、気体は、その一部が気体供給器３の流路３ａから第１気流旋回部５の各流路５ａに流れ込むことにより、液膜形成壁４の内側において第１の旋回気流が発生し、この第１の旋回気流により、液膜に対し剪断力が作用し液体の微粒化が行われ液膜形成壁４の円形開口縁４ｂから液滴が放出される。また、残りの気体が第２気流旋回部６の各流路６ａに流れ込むことにより、液膜形成壁４の外側において第２の旋回気流が発生する。この第２の旋回気流によってさらなる剪断力が作用し、一層、液体粒子が微粒化する。
【００２４】
本発明の二流体ノズル１によれば、所定の容積の空間に対して必要な加湿量を与えるための水の流量およびこの水を微細な液滴とするための空気の圧力を従来のノズルに比較して著しく低下させコンプレッサの消費電力を減少させることができる。
また従来の二流体ノズルに比較して
、２つの旋回気流により、液膜形成壁４の先端から放出される液滴の微細化が促進され、より細径でかつ均一な液滴を生成することができるので気化効率が著しく高められ、より迅速で的確な室内の調湿が可能となる。なお、第１の旋回気流の旋回方向と第２の旋回気流の旋回方向とは同方向とする他に、逆方向にすることもでき、その場合には、噴霧の拡がりは同方向の場合に比べ狭くなる。液膜は第１の気流によって同方向の旋回が与えられているので、微粒化の程度は、第１の気流と第２の気流の旋回方向を逆とした方が、剪断力が大きくなるのでやや良好である。
【００２５】
図２は二流体ノズルにおけるコンプレッサの空気圧とそれによって生じる微細な液滴の平均径との関係を本発明に用いる図１のノズルおよび従来の２流体ノズルとの場合で対比して示す図である。横軸はコンプレッサの空気圧（ＭＰa）を示し、縦軸は累積体積で見た粒径を示す。図の△印または□印は累積体積が５０％時の粒径、また各△または□印の上方に記された━は、累積体積が９０％の粒径を示している。図から明らかなように空気圧２ＭＰa以上ではいずれのノズルについても累積体積５０％粒径は両者の間でほぼ等しいが、２ＭＰａ以下では本発明に用いるノズルでは著しく小さくなり、それによって１ＭＰａの空気圧では両者の比は約１／３となる。いいかえれば本発明に用いるノズルによれば気化率が著しく高い微細な粒径の液滴が低い空気圧によって得られ、濡れのより少ない液滴による空間の調湿が効果的に得られる。
【００２６】
図３は前記図１に示す２流体ノズル(以下単にノズルという)を用いて調温／調湿を行うための噴射システムの噴霧部の概要を示す説明図である。
【００２７】
図１等に示すノズル１の液体供給器２には水供給装置としての水道のバルブ１１からの水供給管路１２がレギュレータ１３、電磁開閉弁１４等を介して接続されており、ノズル１の気体供給器３には気体供給装置としてのコンプレッサ１５からの空気供給管路１６がレギュレータ１７、電磁開閉弁１８等を介して接続されている。
また水供給管路１２中にはフィルタ１９、２０が、空気供給管路１６中にはフィルタ２１が介装されている。ノズル１への水は水道からバルブ１１を介して供給する他、コンプレッサ１５により加圧される水タンクを用いてもよい。
【００２８】
バルブ１１からの水はフィルタ１８、１９を通して浄化されレギュレータ１３での水量の調節下に電磁開閉弁１４を通してノズル１に供給される。一方コンプレッサ１５で加圧された空気はフィルタ２１で濾過された後、レギュレータ１７によって圧力を調節されノズル１に供給されて空気の旋回流を形成し、液膜に衝突して微細な液滴となって室内に噴霧される。
【００２９】
ここで、前記のように本発明の噴霧装置に用いるノズル１は、コンプレッサ１５の低い圧力によっても前記の構造により微細粒径の液滴を均一な粒径分布が噴霧することができる。たとえばコンプレッサ１５の圧力を０．１ＭＰａとし、２０Ｌ／分の流量で加圧空気を供給し、水道側から４０ｃｃ／分の流量で水を供給した場合、ノズルからは平均粒径約１０μｍの高い気化率を有する極めて微細な液滴が噴霧される。
【００３０】
図４は前記噴霧部を含めて構成された本発明の噴霧システムの制御回路の概要を示す図である。
【００３１】
本発明の噴霧システムの制御回路は図４に示したその主要な構成部として前記ノズル１に水を供給する水供給装置（水道）、およびその水供給管路１２に介在させた電磁開閉弁１４、前記ノズル１に高圧の空気を供給するコンプレッサ１５、およびその空気供給管路１６に介在させた電磁開閉弁１８、前記空間の温度および湿度を測定して温度信号、湿度信号を出力するセンサ部、ならびにこれら各部の動作を制御する制御部としてのマイクロコンピュータＭＣを備えている。
【００３２】
全体のシステムは商用電源からのＡＣ１００Ｖまたはここから得られる所定のＤＣ電圧源に（１２Ｖ、５Ｖ）よって夫々作動される。その他、システム中には、温度／湿度のディスプレイ、スイッチおよびリレー類、ノズルの噴霧方向を変化させる首振り用のサーボモータ等が設けられている。
【００３３】
このような噴霧システムを作動させて病室の温度を調節する際には、コンピュータＭＣからの信号によりシステムの各部を作動状態とし、バルブ１１からの水を電磁開閉弁１４を介して、またコンプレッサー１５からの加圧空気をレギュレータ１７および電磁開閉弁１８を介して夫々ノズル１に供給して微細な液滴を発生して噴霧する。
【００３４】
ここで本実施態様の噴霧システムでは、調湿すべき目的湿度を得るために種々の方法で制御を行うことができ、図５にその一例を示す。システムの動作開始時には、ＯＮ／ＯＦＦ信号と同期して空気ＯＮ／ＯＦＦ信号が立ち上ってコンプレッサからの加圧空気の供給が開始され、次いで水ＯＮ信号により水が供給されてノズルからの噴霧が始まり室内の湿度が増加する。
【００３５】
ここで湿度センサが噴霧による加湿によって室内の湿度が上限値を越えたことを検知すると、水ＯＮ信号、次いで空気ＯＮ／ＯＦＦ信号がＯＦＦとなって噴霧が停止され、室内の湿度が低下して行く。湿度センサが湿度が下限値以下に低下したことを検知すると、空気ＯＮ／ＯＦＦ信号次いで水ＯＮ信号がＯＮとなって再度ノズルからの噴霧が開始され、以下前記の動作が反復されて室内の湿度が所定の上限および下限の湿度値の範囲内に入るよう自動的に制御される。
【００３６】
尚システムの動作中又はその終了後にノズル１の噴霧が休止状態になると、水および加圧空気の供給は停止されるが、水供給管路１２の電磁開閉弁１４が閉じても電磁開閉弁１４からノズル１の入口までの先端管路部中にはそれまでに供給されていた水が残存しており、これがドリップして床面を濡らす場合が生じる。
本実施態様のシステムではその動作終了後、所定時間（たとえば６０ｓｅｃ）の間コンプレッサ１５のみを作動させて加圧空気を供給して残水を噴霧させ、ドレインが管路内に残らないようにする。
【００３７】
水だれ防止のための排水時間は任意の値、たとえば６０secに設定されるが、この時間内に排水される管路中の残水の量は主として前記部分の管長と管径によって定まるので、本発明においてはそれぞれの用途における水量に対して管路の最大長Ｌと管径Ｄの寸法を次のように設定する。
管径Ｄ（mm）          最大長Ｌ（cm）  水量Ｖ（cc/min）
Ｄ≦４mm              Ｌ≦２５cm      （Ｖ≦２cc/min）
４mm＜Ｄ≦６ｍｍ      Ｌ≦２５cm      （Ｖ≦５cc/min）
６mm＜Ｄ≦１０ｍｍ    Ｌ≦１５cm      （Ｖ≦１０cc/min）
６mm＜Ｄ≦１０ｍｍ    Ｌ≦３０cm      （１０cc/min＜Ｖ≦２０cc/min）
１０mm＜Ｄ≦１２ｍｍ  Ｌ≦２０cm      （Ｖ≦２０cc/min）
【００３８】
また二流体ノズルではその構造上、動作時に振動による比較的周波数の高い可聴範囲の不快な騒音を生じる。たとえば二流体ノズルを牛舎の調湿に用いると、この騒音により牛にストレスが生じて就飼活動などが不安定になることが報告されている。
【００３９】
このため本発明においては、ノズル先端部を覆って筒状の消音器を取り付けてある。消音器の材質としては多孔質材料又はパンチングメタルなどの多孔材料をもちいることができる。これによってノズルの噴霧状態にもよるが、騒音を４〜８ｄＢ低下させて実用上支障のないレベルに迄騒音を低下させることができる。
【００４０】
尚ノズルは固定した向きで取り付けてもよいが、配置場所によっては旋回可能として噴霧角度を可変なものとし、室内に対する噴霧状態を均一なものとすることが好ましい。首振りのための装置としてはサーボモータ等を用いることができる。
【００４１】
ノズルの構成材質としては加工性、耐久性等の点でスティンレス鋼やアルミニウム又はその合金、またはプラスチック等を用いることができるが、材質によっては、加工精度や材料強度などによって噴霧される液滴の径にばらつきを生じることがあるのでこれらを考慮して適宜な材料を選択する。
【００４２】
病院の室内等の空中に浮遊する病原性微生物の抑止に用いられることを意図した本発明の噴霧システムの一つの実施態様では、噴霧される液滴の気化による室内の加湿量をこれら微生物の繁殖も抑止するような値に制御する。
【００４３】
一般的にかゝる微生物の増殖活性は湿度に依存するが、それらの増殖に適した湿度は夫々の微生物の生物学的形態の相違によって異なる。本発明のこの実施態様の噴霧システムでは、最近大きな社会的問題となっているウイルス感染症を引起すウイルスおよび合併症として引起される肺炎の一因ともなるカビ類を主たる抑制対象としている。
【００４４】
ウイルスは高温多湿状態で活性を抑止されると考えられ、個々の場合によって必ずしも常に同一の傾向を示すものではないが、少なくとも相対湿度５０％以上ではそれらの活性が低下するとするのが通説である。
【００４５】
一方真菌類であるカビはその増殖活性の湿度依存性がウイルスとはほぼ逆の傾向を示し、高温多湿になるほど活性が増大する。したがって、ウイルスの活性低下を意図して温度を増加方向に制御すると場合によってはカビの増殖に好適な湿度条件をつくり出すことになる。前記のようにカビは肺炎を引起し、ウイルス感染による二次的な症状の一因ともなるので、病原性微生物の対策として室内を調湿する際には、ウイルスおよびカビの双方の活性を抑止するような温度条件を定めてこれに対応する制御を行うことが必要である。
【００４６】
カビは一般に２５〜３５℃の温度範囲および温度６０％以上で至適な増殖域を有する。カビの増殖活性は前記以外の温度範囲、すなわち２５℃以下では温度の減少と共に増大し、３５℃以上では温度の増加と共に低下するが、これらの領域でも増殖域は湿度の増加と共に広がり、増殖活性に関して夫々の場合において温度と湿度との間にほゞ直線的な相関性が認められる。
【００４７】
一般的な傾向としてカビの増殖域は温度Ｔ（℃）を横軸に、湿度Ｈ（％）を縦軸にとった座標上では２５℃以下では下記式（１）のまた３５℃以上では下記式（２）の近似式で表される夫々の直線の上方の領域にある。
【００４８】
Ｈ＝−７／３  Ｔ＋３５５／３                （１）
Ｈ＝２７／５  Ｔ−１２９                    （２）
【００４９】
したがって、これらを勘案して温度が２５〜３５℃の範囲では湿度を６０％以下の値に、温度が２５℃以下の範囲では温度をＨ＜−７／３Ｔ＋３５５／３となる値に、温度が３５℃以上の範囲では湿度をＨ＜２７／５Ｔ−１２９以下となる値に設定すれば、この範囲がカビの増殖抑止に有効な範囲となる。
さらにこの温前記囲内で調湿すべき室内の湿度を温度によらず常時ず５０％以上とされたウイルスの活性を低下させる設定温度とする。
【００５０】
このように室内の湿度を前記の範囲内の値に制御することによりウイルスおよび／又はカビの活性を低下させる室内環境を形成することができる。
【００５１】
尚調温／調湿におい温度および湿度の値をてたとえば前記範囲内に入る２５℃および５０％に制御すると、この状態は不快指数の目安を定める下記簡略式によれば「７２」となり、これは一応不快には感じられない室内状態である。
不快指数ＤＩ＝０．８１Ｔ＋０．０１Ｕ（０．９９Ｔ−１４．３）＋４６．３
したがって、本実施態様の噴霧システムを前記湿度範囲で作動させると、居住空間に適した調温／調湿が可能となり、通常の室内の冷暖房用、空調システムとしても充分実用に適したものとなる。
【００５２】
また本発明の噴霧システムでは前記形式の２流体ノズルを用いることにより、たとえば２気圧以下の空気圧で濡れを生じない極めて微細な平均粒径のミストを発生させることができるので、低温度でも９０％以上の湿度を得ることができ、倉庫や運搬車輌中での野菜、花弁、果物、魚介等の鮮度保持に適した調湿噴霧システムとして適用することもできる。
【産業上の利用可能性】
【００５３】
以上本発明を病室や居室の空間等の調湿に用いる実施態様について説明したが、本発明はこれらの用途に限定されるものではなくコンプレッサをある程度大型化すれば半開放空間である店頭や会場の空調用、食品のショーケースや回転寿司の循環路の調温／調湿用途、さらには農園芸用の散水・施肥装置としても用いることができる。
【符号の説明】
【００５４】
１    ２流体ノズル
２    液体供給器
３    気体供給器
４    液膜形成壁
５    第一気流旋回部
６    第二気流旋回部
７    外筒
８、９    噴射口
１１    バルブ（水道）
１２    水供給管路
１３    レギュレータ
１４    電気開閉弁
１５    コンプレッサ
１６    空気供給管路
１７    レギュレータ
１８    電気開閉弁
１９、２０、２１    フィルタ
ＭＣ    マイクロコンピュータ
【図１】
2011052900.tif 000003
【図２】
2011052900.tif 000004
【図３】
2011052900.tif 000005
【図４】
2011052900.tif 000006
【図５】
2011052900.tif 000007